(57)【要約】【課題】ＦＰＣやＦＦＣに比べて安価で引き回しの自由度が高く、差動信号の伝送にツイストケーブルを採用しながら高いノイズ抑制効果を期待できるようにする。【解決手段】ハーネスＨは、接続端子Ｔ１０〜Ｔ２９が２段１０列に配置されたコネクタＨＣ１と、接続端子Ｔ３０〜Ｔ４９が１段２０列に配置されたコネクタＨＣ２と、差動信号用ケーブルＳ１０〜Ｓ１７と、電源系統用ケーブルＶ１０〜Ｖ１７，Ｌ１〜Ｌ４とを備え、差動信号用ケーブルＳ１０〜Ｓ１７は２本ずつでツイストケーブルを形成し、差動信号用ケーブルＳ１０〜Ｓ１７はコネクタＨＣ１の第１段１０１に含まれる接続端子Ｔ１０〜Ｔ１７に接続され、電源系統用ケーブルＶ１０〜Ｖ１７，Ｌ１〜Ｌ４はコネクタＨＣ１の第２段１０２に含まれる接続端子Ｔ２０〜Ｔ２９と第１段１０１に含まれる接続端子Ｔ１８〜Ｔ１９に接続される。【選択図】図４
2020099523.tif 000002
【特許請求の範囲】
【請求項１】
遊技機であって、
複数の接続部を有する第１コネクタと、
複数の接続部を有し、当該複数の接続部が複数の段および複数の列を形成するように配置された第２コネクタと、
差動信号の伝送に用いられる複数の差動信号用ケーブルと、
電源系統の伝達に用いられる複数の電源系統用ケーブルと
を備え、
前記複数の差動信号用ケーブルは、差動信号を伝送するための差動信号用ケーブルの対を複数含み、
前記差動信号用ケーブルの対はツイストケーブルを形成しており、
前記複数の差動信号用ケーブル及び前記複数の電源系統用ケーブルそれぞれの一端側が前記第１コネクタの前記複数の接続部のいずれかに接続され、
前記第２コネクタの前記複数の段のうちの一の段における複数の接続部のうちの２以上の第１接続部それぞれには、前記複数の差動信号用ケーブルのいずれかの他端側が接続されており、
前記第２コネクタの前記複数の段のうちの他の段における複数の接続部のうちの、少なくとも前記第１接続部と同数の第２接続部それぞれには、前記複数の電源系統用ケーブルのいずれかの他端側が接続されており、
前記第２コネクタにおける前記一の段と前記他の段とは隣り合う位置関係にある
ことを特徴とする遊技機。
【請求項２】
前記第２コネクタにおける段の数と列の数が異なっており、
前記一の段は、前記複数の段のうちの最も外側にある段のうちの一方であり、
前記複数の段のうちの最も外側にある段のうちの他方の段における複数の接続部のいずれにも差動信号用ケーブルが接続されることがなく、当該他方の段における当該複数の接続部の少なくとも一部にはツイストケーブルを形成しないケーブルが接続されている
ことを特徴とする請求項１に記載の遊技機。
【請求項３】
前記第２コネクタが接続対象に取り付けられた場合、当該第２コネクタはノイズ源の存在する側に前記他の段が向いた状態になる
ことを特徴とする請求項１または２に記載の遊技機。
【発明の詳細な説明】
【技術分野】
【０００１】
本発明は、配線部品を有する遊技機に関する。
【背景技術】
【０００２】
従来、パチンコ機やスロットマシン等の遊技機において、ノイズ抑制のために電気部品同士を接続する配線部品において撚り線（ツイストケーブル）構造を有するハーネスが用いられることがある。このような撚り線構造を有するハーネスとして、一端側のコネクタと他端側のコネクタと両端のコネクタ間の複数の信号線を有し、両端のコネクタの双方で端子を一列に配置し、一部の端子には撚り線構造とした一対の信号線が接続され、残りの端子には撚り線構造にされていない信号線が接続されているものが提案されている（例えば、特許文献１参照）。
【先行技術文献】
【特許文献】
【０００３】
【特許文献１】特開２０１６−４３０９７号公報（段落０３６２、０３６３、図３５、要約等）
【発明の概要】
【発明が解決しようとする課題】
【０００４】
しかしながら、特許文献１の撚り線構造を有するハーネスではノイズ抑制効果が十分でない虞もある。
【０００５】
また、遊技機では、外来ノイズに対する耐性が強いＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）が採用されることがある。しかしながら、ＦＰＣやＦＦＣは、外来ノイズに対する耐性は強いものの高価であり、また、形状が固定されるために電気部品同士を接続する際の引き回しに難がある。
【０００６】
本発明は、上記課題に鑑みてなされたものであり、ＦＰＣやＦＦＣに比べて安価で引き回しの自由度が高く、差動信号の伝送にツイストケーブルを採用しながら高いノイズ抑制効果を期待することができる遊技機を提供することを目的とする。
【課題を解決するための手段】
【０００７】
上記目的を達成するために、本発明にかかる遊技機は、遊技機であって、複数の接続部を有する第１コネクタと、複数の接続部を有し、当該複数の接続部が複数の段および複数の列を形成するように配置された第２コネクタと、差動信号の伝送に用いられる複数の差動信号用ケーブルと、電源系統の伝達に用いられる複数の電源系統用ケーブルとを備え、前記複数の差動信号用ケーブルは、差動信号を伝送するための差動信号用ケーブルの対を複数含み、前記差動信号用ケーブルの対はツイストケーブルを形成しており、前記複数の差動信号用ケーブル及び前記複数の電源系統用ケーブルそれぞれの一端側が前記第１コネクタの前記複数の接続部のいずれかに接続され、前記第２コネクタの前記複数の段のうちの一の段における複数の接続部のうちの２以上の第１接続部それぞれには、前記複数の差動信号用ケーブルのいずれかの他端側が接続されており、前記第２コネクタの前記複数の段のうちの他の段における複数の接続部のうちの、少なくとも前記第１接続部と同数の第２接続部それぞれには、前記複数の電源系統用ケーブルのいずれかの他端側が接続されており、前記第２コネクタにおける前記一の段と前記他の段とは隣り合う位置関係にあることを特徴としている。
【０００８】
この構成によれば、第１コネクタと第２コネクタと複数の差動信号用ケーブルと複数の電源系統用ケーブルとで電気部品同士を接続することにより、ＦＰＣやＦＦＣに比べて安価で引き回しの自由度が高くなる。また、第２コネクタでは複数の接続部が複数の段および複数の列を形成するように配置され、そのうちの一の段における２以上の第１接続部それぞれにはツイストケーブルを形成する複数の差動信号用ケーブルのいずれかが接続され、他の段における少なくとも第１接続部と同数の第２接続部それぞれには電源系統用ケーブルのいずれかが接続されており、一の段と他の段とは隣り合う位置関係にある。これにより、複数の電源系統用ケーブルが複数の差動信号用ケーブルに近接することになり、複数の電源系統用ケーブルが複数の差動信号用ケーブルに対してノイズに対するシールドとしての役割を果たし、また、差動信号用ケーブルにのったノイズが電源系統用ケーブルからアースに落ちる。このため、差動信号の伝送用にツイストケーブルを採用しながら高いノイズ抑制効果を期待することができる。
【０００９】
また、前記第２コネクタにおける段の数と列の数が異なっており、前記一の段は、前記複数の段のうちの最も外側にある段のうちの一方であり、前記複数の段のうちの最も外側にある段のうちの他方の段における複数の接続部のいずれにも差動信号用ケーブルが接続されることがなく、当該他方の段における当該複数の接続部の少なくとも一部にはツイストケーブルを形成しないケーブルが接続されているとしてもよい。
【００１０】
この構成によれば、第２コネクタの段側の接続部の数と列側の接続部の数が異なり、最も外側にある段のうちの一方（一の段）側にはツイストケーブルを形成する差動信号用ケーブルがあり、他方側にはツイストケーブルを形成しないケーブルのみがある。このため、第２コネクタを接続対象のコネクタに設置する際に、作業者はケーブル部分を触った感触だけでどのような状態で持っているかが分かり、作業効率の向上が図られる。
【００１１】
また、前記第２コネクタが接続対象に取り付けられた場合、当該第２コネクタはノイズ源の存在する側に前記他の段が向いた状態になるとしてもよい。
【００１２】
この構成によれば、複数の差動信号用ケーブルとノイズ源との間に複数の電源系統用ケーブルが存在するため、ノイズ源からのノイズが差動信号用ケーブルにのる前に電源系統ケーブルからアースに逃がすことができる。この結果、ノイズ源からのノイズが差動信号用ケーブルを伝送する差動信号に対して及ぼす影響を抑えることができ、複数の電源系統用ケーブルが複数の差動信号用ケーブルに対してノイズ源に対するシールドとしての役割を効率的に果たすことができる。
【図面の簡単な説明】
【００１３】
【図１】本発明の一実施形態にかかるスロットマシンの正面図である。
【図２】図１のスロットマシンの前面扉が開いた状態で前面扉の裏側から見た概略図である。
【図３】図１のスロットマシンの電気的構成を示すブロック図である。
【図４】図１のスロットマシンで用いられるハーネスの一例を説明するための説明図である。
【図５】ハーネスの変形例１を説明するための説明図である。
【図６】ハーネスの変形例２を説明するための説明図である。
【発明を実施するための形態】
【００１４】
本発明の一実施形態に係る遊技機の一例であるスロットマシン１について、図１〜図４を参照して説明する。
【００１５】
（構成）
スロットマシン１の構成の概略について図１を参照して説明する。
【００１６】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、不図示の筐体の前面が前面扉５により開閉自在に閉塞され、この前面扉５のほぼ中央高さの位置に操作板７が配設されると共に、この操作板７の上方に正面板９が配設されている。
【００１７】
そして、この正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。これら左・中・右リール１３Ｌ，１３Ｍ，１３Ｒには、複数種類の図柄が例えば合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、例えば、上段ライン、中段ライン、下段ライン、右上がりライン、右下がりラインの５ラインが入賞ラインとして設定されている。
【００１８】
また、各リール１３Ｌ，１３Ｍ，１３Ｒをそれぞれ独立して回転駆動できるように、各リール１３Ｌ，１３Ｍ，１３Ｒには、それぞれステッピングモータにより構成される図３に示すリールモータ１４Ｌ，１４Ｍ，１４Ｒが連結されている。
【００１９】
更に、操作板７には、遊技者が内部に貯留されているクレジットメダルから１枚ずつのメダル投入を指示するための操作を行うベットスイッチ１５、遊技者がクレジットメダルから１ゲーム（遊技）あたりの最大投入枚数（例えば、３枚）のメダル投入を指示するための操作を行う最大ベットスイッチ１７、遊技者が各リール１３Ｌ，１３Ｍ，１３Ｒを回転させて各図柄の可変表示を開始させるための操作を行うレバー状のスタートスイッチ１９、遊技者が左・中・右リール１３Ｌ，１３Ｍ，１３Ｒの回転をそれぞれ停止させて各図柄の可変表示を停止させるための操作を行う左・中・右ストップスイッチ２１Ｌ，２１Ｍ，２１Ｒ、遊技者がクレジットメダルを払い出すための操作を行う精算スイッチ２３、および遊技者がメダルを投入するためのメダル投入口２５が設けられている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２０】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うためのメイン液晶表示器２７Ｍ及び左・右サブ液晶表示器２７ＳＬ，２７ＳＲが設けられており、左・右サブ液晶表示器２７ＳＬ，２７ＳＲはメイン液晶表示器２７Ｍ側に回転したり、反対側に回転したりする。また、メイン液晶表示器２７Ｍの上側の左右には、音楽や音声などによる演出を行うためのスピーカ３１Ｌ，３１Ｒがそれぞれ設けられている。また、スピーカ３１Ｌ，３１Ｒの上辺には中央ランプ部３３Ｍが配設され、左サブ液晶表示器２７ＳＬの左には左ランプ部３３Ｌが配設され、右サブ液晶表示器２７ＳＲの左には右ランプ部３３Ｒが配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２１】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２２】
また、各リール１３Ｌ，１３Ｍ，１３Ｒを支持する支持枠体が、筐体内の後壁に固定されている。筐体内の支持枠体の下方には、メダルをメダル払出口３９に排出するためのホッパーユニット４３（図３参照）が配設されている。また、メダル投入口２５付近の裏面側には、図２に示すように、メダル投入口２５に投入されたメダルが正規のものか否かを選別して正規のメダルのみをホッパーユニット４３（図３参照）に導くメダルセレクタ４８が配設されている。なお、筐体内部には、メダル通路が設けられており、メダルセレクタ４８において非正規のメダルとして排除されたメダルや、ホッパーユニット４３から払い出されたメダルが、このメダル通路を通過してメダル払出口３９から払い出される。また、スロットマシン１の正面から見てホッパーユニット４３の左側には、操作ボックス４９（図３参照）が筐体内の左側壁に固定されている。この操作ボックス４９には、電源のオン、オフを切り替える電源スイッチ５０（図３参照）が設けられるとともに、オンとオフとが切り替えられる設定変更開始処理用のキーシリンダからなる変更処理開始スイッチ５６（図３参照）、設定変更時の設定値の切り替えを行うのに用いられるリセットスイッチ５２（図３参照）が設けられている。ただし、変更処理開始スイッチ５６がオンの状態で電源スイッチ５０がオンにされると、リセットスイッチ５２を用いた設定変更処理が開始される。
【００２３】
続いて、スロットマシン１の電気的な構成について図３を参照して説明する。図３はスロットマシンの電気的構成を示すブロック図である。
【００２４】
図３において、投入センサ５３は、筐体内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、メダル払出口３９に払い出されるメダルを１枚ずつ検出するものである。
【００２５】
左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００２６】
ホッパーモータ５７はホッパーユニット４３に配設され、その駆動によりメダルをメダル払出口３９に向けて払い出すものである。
【００２７】
また、このスロットマシン１では、遊技の進行に関する制御を行うメインＣＰＵ６１が実装されたメイン制御基板６３と、メイン制御基板６３に実装されたメインＣＰＵ６１から送信された情報に基づき所定の演出（例えば、遊技の進行に合わせた演出）に関する制御を行う演出ＣＰＵ７１が実装された演出制御基板７３とが別々に設けられており、メイン制御基板６３から演出制御基板７３に対して各種の遊技情報が一方向で送信される。メイン制御基板６３は筐体内の後壁に設置されている。また、演出制御基板７３は、複数の制御基板を含むように構成されており、その一部が図２に示すように前面扉５の背面側に設置されている。メイン制御基板６３、演出制御基板７３それぞれは、外部から不正にアクセスすることが困難なように、基板ケース内に収容された上、基板ケースが痕跡を残さずに開放することが困難なように厳重に封印されている。また、これらの基板ケースには、不正に開放されたことを視認することができるように、種々の対策が講じられている。
【００２８】
メイン制御基板６３のＲＡＭ６５はスロットマシン１の遊技状態などの遊技に関するデータを一時的に記憶するものであり、各種のデータを格納するための各種の記憶領域が形成されている。
【００２９】
また、メイン制御基板６３のＲＯＭ６７は予め設定されたデータを含む遊技機用プログラム（スロットマシン１用のプログラム）を記憶する。
【００３０】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選結果に関する情報、各ストップスイッチ２１Ｌ，２１Ｍ，２１Ｒ、スタートスイッチ１９等の遊技者により操作される操作器具の操作に関する情報などの種々の遊技情報をコマンド形式で演出制御基板７３の演出ＣＰＵ７１に送信する。
【００３１】
また、演出制御基板７３のメモリ７５は、各種データを一時的に記憶するＲＡＭ部と、演出用の各種プログラムなどを記憶するＲＯＭ部とを備えている。また、演出制御基板７３の演出ＣＰＵ７１は、タイマ割込などの割込機能を有し、演出ＣＰＵ７１は、メインＣＰＵ６１から送信されるスロットマシン１に関する各種の遊技情報等に基づいてメモリ７５に格納されたプログラムを実行することで、遊技者に対する遊技に関連する演出の内容を決定する。また、演出制御基板７３のＶＤＰ（Ｖｉｄｅｏ  Ｄｉｓｐｌａｙ  Ｐｒｏｃｅｓｓｏｒ）７７は演出ＣＰＵ７１により決定された演出内容に従ってメイン液晶表示器２７Ｍ及びサブ液晶表示器２７ＳＬ，２７ＳＲそれぞれの映像信号を生成するものである。例えば、左サブ液晶表示器２７ＳＬ用の映像信号は、一方側のコネクタが演出制御基板７３に設けられたコネクタＣ１（図２参照）に接続され、他方側のコネクタが左サブ液晶表示器２７ＳＬに設けられたコネクタに接続されたハーネスＨ（図２参照）を介して、ＶＤＰ７７から左サブ液晶表示器２７ＳＬに伝送されることになる。このハーネスＨ等の詳細については図４を用いて後述する。なお、図２のＮは冷却用ファンであり、回転することで、演出制御基板７３を冷却するものであるが、同時にハーネスＨを伝送する信号に対するノイズ源となるものである。
【００３２】
（メイン制御基板）
次に、メイン制御基板６３について説明する。
【００３３】
メイン制御基板６３は、ＲＯＭ６７に格納されたプログラムを実行することにより実現される種々の機能や、ハードウェアが制御されることにより実現される種々の機能を備えている。
【００３４】
メインＣＰＵ６１は、当選した当選役グループ（当選役グループには、１つの役も構成役として有しない当選役グループ（ハズレ）と、１または複数の役を構成役として有する複数の当選役グループが含まれている。）の種類や役の入賞・非入賞等により、スロットマシン１が備える複数の遊技状態のうちいずれか一つの遊技状態にスロットマシン１の遊技を制御する。
【００３５】
また、メインＣＰＵ６１は、電源スイッチ５０、変更処理開始スイッチ５６、リセットスイッチ５２に対する所定の設定変更操作に基づいて、出玉率（獲得メダル数÷投入メダル数×１００［％］）の調整をするための設定（設定１〜設定６）を変更する。
【００３６】
また、メインＣＰＵ６１は、制御した遊技状態の種類、および、設定した設定値（設定１から設定６）に基づき、複数の役抽選テーブルから１つの役抽選テーブルを選択する。この役抽選テーブルには、予め設定された複数の当選役グループそれぞれについて、当選役グループと当該当選役グループが役抽選において当選となる抽選値の範囲とが対応づけて記憶されている。
【００３７】
また、メインＣＰＵ６１は、スタートスイッチ１９が遊技者により操作されると、役抽選用の乱数を所定の範囲内で発生させ、発生させた乱数値を抽選値としてスタートスイッチ１９が操作されたタイミングで抽出する。そして、メインＣＰＵ６１は、選択した役抽選テーブルと抽出した抽選値とを用いて複数の当選役グループのうちのいずれの当選役グループに当選かの決定を行う。
【００３８】
また、メインＣＰＵ６１は、スタートスイッチ１９が遊技者により操作されると、各リール１３Ｌ，１３Ｍ，１３Ｒの回転を開始させ、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出する。メインＣＰＵ６１は、全てのリール１３Ｌ，１３Ｍ，１３Ｒが定速回転となったときに、各ストップスイッチ２１Ｌ，２１Ｍ，２１Ｒの操作を有効操作として受付ける状態となる。この状態で各ストップスイッチ２１Ｌ，２１Ｍ，２１Ｒの操作が遊技者により行われると、メインＣＰＵ６１は、検出した各左・中・右リール１３Ｌ，１３Ｍ，１３Ｒの回転位置と、遊技者による各ストップスイッチ２１Ｌ，２１Ｍ，２１Ｒの操作態様（例えば押し順や操作タイミング）と、役抽選結果とに基づき、予め設定されているすべりコマ数（引き込み可能範囲：通常、最大４コマ）の範囲内で各リール１３Ｌ，１３Ｍ，１３Ｒが停止するように停止制御を行う。
【００３９】
全てのリール１３Ｌ，１３Ｍ，１３Ｒの回転が停止した後、メインＣＰＵ６１は、リール１３Ｌ，１３Ｍ，１３Ｒの入賞ラインの図柄組合せが、役抽選により当選した当選役グループを構成する役に対応する図柄組合せであるかどうかの判定を行い、入賞ラインの図柄組合せが当該役に対応する図柄組合せである場合は、当該役に入賞したと判定し、そうでない場合はハズレと判定する。メインＣＰＵ６１は、役抽選により当選した当選役グループを構成する役に入賞したと判定したときに、それがメダル払い出しのある役の入賞であれば、ホッパーユニット４３を動作させて、入賞した役に対応した払出枚数分だけメダルを払い出すものである。ただし、メインＣＰＵ６１はクレジットメダルの貯留枚数が上限値（この実施形態では例えば５０枚）に達していない場合は、払出枚数を基に上限値に達するまではクレジットメダルの枚数を増加させ、上限値に達した後は残りの払出枚数分だけホッパーユニット４３を動作させてメダルを払い出す。
【００４０】
また、メインＣＰＵ６１は、メダルセレクタ４８の動作を制御することにより、メダル受入可と受入不可とを切り替える。
【００４１】
また、メインＣＰＵ６１は、設定値、遊技状態、役抽選結果に関する情報、図柄判定結果に関する情報、各リール１３Ｌ，１３Ｍ，１３Ｒの回転・停止状態、メダルの払出状態、前面扉５の開放または閉塞の状態、スロットマシン１のエラー状態などスロットマシン１の状態を表すデータ、各ストップスイッチ２１Ｌ，２１Ｍ，２１Ｒ、スタートスイッチ１９等の遊技者により操作される操作器具の操作に関する情報などの種々の情報を演出制御基板７３の演出ＣＰＵ７１に送信するためのコマンドを生成し、生成したコマンドを演出制御基板７３の演出ＣＰＵ７１に送信する。なお、コマンドはメイン制御基板６３のメインＣＰＵ６１から演出制御基板７３の演出ＣＰＵ７１に一方通行で送信される。
【００４２】
（演出制御基板）
次に、演出制御基板７３について説明する。演出制御基板７３の演出ＣＰＵ７１は、メイン制御基板６３のメインＣＰＵ６１から送信されたコマンドを受信し、メインＣＰＵ６１の動作や状態に応じた演出を行うものである。演出制御基板７３は、メモリ７５に格納されたプログラムを実行することにより実現される種々の機能や、ハードウェアにより実現される種々の機能を備えている。
【００４３】
演出ＣＰＵ７１は、メイン制御基板６３のメインＣＰＵ６１により送信された種々のデータを含むコマンドを受信する。そして、演出ＣＰＵ７１は、受信したコマンドに応じて、演出の内容を決定し、決定した演出の内容に応じて、例えば、メイン液晶表示器２７Ｍや左・右サブ液晶表示器２７ＳＬ，２７ＳＲに動画等の画像を表示するためのＶＤＰ７７の制御を行ったり、スピーカ３１Ｌ，３１Ｒからの音声の出力制御を行ったり、上部ランプ部３３や下部ランプ部３７Ｌ，３７Ｒの光源を一斉にあるいは個別に点滅させる制御を行ったりする。ＶＤＰ７７は、演出ＣＰＵ７１による制御を受け、演出ＣＰＵ７１により決定された演出内容に従ってメイン液晶表示器２７Ｍ及びサブ液晶表示器２７ＳＬ，２７ＳＲのうちの一部または全部の映像信号を生成して対応する液晶表示器に出力する。
【００４４】
（ハーネス等の構造）
続いて、演出制御基板７３に設けられたコネクタＣ１、左サブ液晶表示器２７ＳＬに設けられたコネクタＣ２、コネクタＣ１とコネクタＣ２とを接続するように設置されるハーネスＨについて図４を用いて詳細に説明する。
【００４５】
演出制御基板７３に設けられたコネクタＣ１は、ハーネスＨの後述するコネクタＨＣ１が取り付けられるものであって、コネクタＨＣ１の後述する接続端子Ｔ１０〜Ｔ１９、Ｔ２０〜Ｔ２９に対応する２０個の接続端子を有し、当該２０個の接続端子はコネクタＨＣ１の接続端子Ｔ１０〜Ｔ１９、Ｔ２０〜Ｔ２９と同様に２段１０列を形成するように配置されている。この実施形態では、２０個の接続端子のうちのコネクタＨＣ１の接続端子Ｔ１０〜Ｔ１７に対応する８個の接続端子はＶＤＰ７７と信号線Ｓ１で接続されているものとし、以下では、「差動信号用接続端子」と記載する。また、この実施形態では、２０個の接続端子のうちのコネクタＨＣ１の接続端子Ｔ２０，Ｔ２２，Ｔ２４，Ｔ２６，Ｔ２８，Ｔ２９に対応する６個の接続端子は電源線Ｖ１に接続されているものとし、以下では、「電源用接続端子」と記載する。また、この実施形態では、２０個の接続端子のうちのコネクタＨＣ１の接続端子Ｔ１８，Ｔ１９，Ｔ２１，Ｔ２３，Ｔ２５，Ｔ２７に対応する６個の接続端子はグランド線Ｇ１に接続されているものとし、以下では、「グランド用接続端子」と記載する。
【００４６】
左サブ液晶表示器２７ＳＬに設けられたコネクタＣ２は、ハーネスＨの後述するコネクタＨＣ２が取り付けられるものであって、コネクタＨＣ２の後述する接続端子Ｔ３０〜Ｔ４９に対応する２０個の接続端子を有し、当該２０個の接続端子はコネクタＨＣ２の接続端子Ｔ３０〜Ｔ４９と同様に１段２０列を形成するように配置されている。この実施形態では、２０個の接続端子のうちの接続端子Ｔ３１，Ｔ３２，Ｔ３５，Ｔ３６，Ｔ３９，Ｔ４０，Ｔ４３，Ｔ４４に対応する８個の接続端子は信号線Ｓ２に接続されているものとし、以下では、「差動信号用接続端子」と記載する。また、この実施形態では、２０個の接続端子のうちのコネクタＨＣ２の接続端子Ｔ３０，Ｔ３４，Ｔ３８，Ｔ４２，Ｔ４７，Ｔ４９に対応する６個の接続端子は電源線Ｖ２に接続されているものとし、以下では、「電源用接続端子」と記載する。また、この実施形態では、２０個の接続端子のうちのコネクタＨＣ２の接続端子Ｔ３３，Ｔ３７，Ｔ４１，Ｔ４５，Ｔ４６，Ｔ４８に対応する６個の接続端子はグランド線Ｇ２に接続されているものとし、以下では、「グランド用接続端子」と記載する。
【００４７】
ハーネスＨは、一端側のコネクタＨＣ１と、他端側のコネクタＨＣ２と、差動信号の伝送に用いられる差動信号用ケーブルＳ１０〜Ｓ１７と、電源系統の伝達に用いられる電源系統用ケーブルＶ１０〜Ｖ１７，Ｌ１〜Ｌ４とを備え、バラ線構造になっている。
【００４８】
コネクタＨＣ１は、接続端子Ｔ１０〜Ｔ１９、Ｔ２０〜Ｔ２９を有し、接続端子Ｔ１０〜Ｔ１９、Ｔ２０〜Ｔ２９は、接続端子Ｔ１０〜Ｔ１９が第１段１０１に含まれ、接続端子Ｔ２０〜Ｔ２９が第２段１０２に含まれるように２段１０列の配置構造になっている。なお、２段１０列であるので当然のことではあるが、コネクタＨＣ１において第１段１０１と第２段１０２とは隣り合う位置関係にある。コネクタＨＣ１がコネクタＣ１に取り付けられた状態では、接続端子Ｔ１０〜Ｔ１７はコネクタＣ１の差動信号用接続端子に接続し、接続端子Ｔ２０，Ｔ２２，Ｔ２４，Ｔ２６，Ｔ２８，Ｔ２９はコネクタＣ１の電源用接続端子に接続し、接続端子Ｔ１８，Ｔ１９，Ｔ２１，Ｔ２３，Ｔ２５，Ｔ２７はコネクタＣ１のグランド用接続端子に接続する。
【００４９】
コネクタＨＣ２は、接続端子Ｔ３０〜Ｔ４９を有し、接続端子Ｔ３０〜Ｔ４９は、すべてが第１段１０３に含まれるように１段２０列の配置構造になっている。コネクタＨＣ２がコネクタＣ２に取り付けられた状態では、接続端子Ｔ３１，Ｔ３２，Ｔ３５，Ｔ３６，Ｔ３９，Ｔ４０，Ｔ４３，Ｔ４４はコネクタＣ２の差動信号用接続端子に接続し、接続端子Ｔ３０，Ｔ３４，Ｔ３８，Ｔ４２，Ｔ４７，Ｔ４９はコネクタＣ２の電源用接続端子に接続し、接続端子Ｔ３３，Ｔ３７，Ｔ４１，Ｔ４５，Ｔ４６，Ｔ４８はコネクタＣ２のグランド用接続端子に接続する。
【００５０】
差動信号用ケーブルＳ１０、Ｓ１１は、差動信号を伝送するための対をなしており、ツイストペアケーブルを形成している。そして、差動信号用ケーブルＳ１０，Ｓ１１は、その一端側がコネクタＨＣ１の第１段１０１の接続端子Ｔ１０，Ｔ１１に接続され、その他端側がコネクタＨＣ２の第１段１０３の接続端子Ｔ３１，Ｔ３２に接続されている。
【００５１】
また、差動信号用ケーブルＳ１２、Ｓ１３は、差動信号を伝送するための対をなしており、ツイストペアケーブルを形成している。そして、差動信号用ケーブルＳ１２，Ｓ１３は、その一端側がコネクタＨＣ１の第１段１０１の接続端子Ｔ１２，Ｔ１３に接続され、その他端側がコネクタＨＣ２の第１段１０３の接続端子Ｔ３５，Ｔ３６に接続されている。
【００５２】
また、差動信号用ケーブルＳ１４、Ｓ１５は、差動信号を伝送するための対をなしており、ツイストペアケーブルを形成している。そして、差動信号用ケーブルＳ１４，Ｓ１５は、その一端側がコネクタＨＣ１の第１段１０１の接続端子Ｔ１４，Ｔ１５に接続され、その他端側がコネクタＨＣ２の第１段１０３の接続端子Ｔ３９，Ｔ４０に接続されている。
【００５３】
また、差動信号用ケーブルＳ１６、Ｓ１７は、差動信号を伝送するための対をなしており、ツイストペアケーブルを形成している。そして、差動信号用ケーブルＳ１６，Ｓ１７は、その一端側がコネクタＨＣ１の第１段１０１の接続端子Ｔ１６，Ｔ１７に接続され、その他端側がコネクタＨＣ２の第１段１０３の接続端子Ｔ４３，Ｔ４４に接続されている。
【００５４】
電源系統用ケーブルＶ１０〜Ｖ１７は、ツイスト構造となっておらず、その一端側がコネクタＨＣ１の第２段１０２の接続端子Ｔ２０〜Ｔ２７に接続され、その他端側がコネクタＨＣ２の第１段１０３の接続端子Ｔ３０，Ｔ３３，Ｔ３４，Ｔ３７，Ｔ３８，Ｔ４１，Ｔ４２，Ｔ４５に接続されている。
【００５５】
電源系統用ケーブルＬ１〜Ｌ４は、ツイスト構造となっておらず、その一端側がコネクタＨＣ１の接続端子Ｔ１８，Ｔ２８，Ｔ１９，Ｔ２９に接続され、その他端側がコネクタＨＣ２の接続端子Ｔ４６〜Ｔ４９に接続されている。なお、電源系統用ケーブルＬ１〜Ｌ４がなくてもよいし、電源系統用ケーブルＬ１〜Ｌ４の代わりに信号や電源系統を伝送しないダミーケーブルとしてもよい。
【００５６】
なお、以下では、電源系統用ケーブルＶ１０，Ｖ１２，Ｖ１４，Ｖ１６，Ｌ２，Ｌ４を、適宜、電源系統用ケーブル（電源）Ｖ１０，Ｖ１２，Ｖ１４，Ｖ１６，Ｌ２，Ｌ４と記載する。また、以下では、電源系統用ケーブルＶ１１，Ｖ１３，Ｖ１５，Ｖ１７，Ｌ１，Ｌ２を、適宜、電源系統用ケーブル（グランド）Ｖ１１，Ｖ１３，Ｖ１５，Ｖ１７，Ｌ１，Ｌ３と記載する。
【００５７】
このように、ハーネスＨでは、第１段１０１の接続端子Ｔ１０〜Ｔ１７には差動信号用ケーブルＳ１０〜Ｓ１７の一端側が接続され、第１段１０１と隣り合う位置関係にある第２段１０２の少なくとも接続端子Ｔ１０〜Ｔ１７と同列にあるＴ２０〜Ｔ２７には電源系統用ケーブルＶ１０〜Ｖ１７が接続されている。
【００５８】
また、ハーネスＨでは、第１段１０１と第２段１０２のうちの最も外側にある一方の段である第１段１０１の接続端子Ｔ１０〜Ｔ１７にはツイストペアケーブルを形成している差動信号用ケーブルＳ１０〜Ｓ１７が接続され、最も外側にある他方の段である第２段１０２の接続端子Ｔ２０〜Ｔ２９にはツイスト構造の差動信号用ケーブルが接続されることがなく、ツイスト構造になっていない電源系統用ケーブルＶ１０〜Ｖ１７，Ｌ２，Ｌ４が接続されている。
【００５９】
なお、コネクタＨＣ１が本発明の「第２コネクタ」に相当し、コネクタＨＣ２が本発明の「第１コネクタ」に相当する。また、第１段１０１が本発明の「一の段」に相当し、第２段１０２が本発明の「他の段」に相当する。また、接続部Ｔ１０〜Ｔ１９，Ｔ２０〜Ｔ２９が本発明の「接続部」に相当し、接続端子Ｔ１０〜Ｔ１７が本発明の「第１接続部」に相当し、接続端子Ｔ２０〜Ｔ２７が本発明の「第２接続部」に相当する。また、差動信号用ケーブルＳ１０〜Ｓ１７が本発明の「差動信号用ケーブル」に相当し、電源系統用ケーブルＶ１０〜Ｖ１７が本発明の「電源系統用ケーブル」に相当する。
【００６０】
ハーネスＨは、そのコネクタＨＣ１がノイズ源となる冷却用ファンＮの存在する側に第２段１０２が向いた状態になるように演出制御基板７３のコネクタＣ１に取り付けられ、コネクタＨＣ２が左サブ液晶表示器２７ＳＬのコネクタＣ２に取り付けられる。ハーネスＨがこのように取り付けられた状態では、ＶＤＰ７７から出力される差動信号は、信号線Ｓ１、コネクタＣ１の差動信号用接続端子、コネクタＨＣ１の接続端子Ｔ１０〜Ｔ１７、差動信号用ケーブルＳ１０〜Ｓ１７、コネクタＨＣ２の接続端子Ｔ３１，Ｔ３２，Ｔ３５，Ｔ３６，Ｔ３９，Ｔ４０，Ｔ４３，Ｔ４４、コネクタＣ２の差動信号用接続端子を介して、左サブ液晶表示器２７ＳＬの信号線Ｓ２に到達する。また、演出制御基板７３の電源線Ｖ１と左サブ液晶表示器２７ＳＬの電源線Ｖ２とは、コネクタＣ１の電源用接続端子、コネクタＨＣ１の接続端子Ｔ２０，Ｔ２２，Ｔ２４，Ｔ２６，Ｔ２８，Ｔ２９、電源系統用ケーブル（電源）Ｖ１０，Ｖ１２，Ｖ１４，Ｖ１６，Ｌ２，Ｌ４、コネクタＨＣ２の接続端子Ｔ３０，Ｔ３４，Ｔ３８，Ｔ４２，Ｔ４７，Ｔ４９、コネクタＣ２の電源用接続端子を介して、接続される。また、演出制御基板７３のグランド線Ｇ１と左サブ液晶表示器２７ＳＬのグランド線Ｇ２とは、コネクタＣ１のグランド用接続端子、コネクタＨＣ１の接続端子Ｔ１８，Ｔ１９，Ｔ２１，Ｔ２３，Ｔ２５，Ｔ２７、電源系統用ケーブル（グランド）Ｌ１，Ｌ３，Ｖ１１，Ｖ１３，Ｖ１５，Ｖ１７、コネクタＨＣ２の接続端子Ｔ３３，Ｔ３７，Ｔ４１，Ｔ４５，Ｔ４６，Ｔ４８、コネクタＣ２のグランド用接続端子を介して、接続される。
【００６１】
したがって上記した実施形態によれば、演出制御基板７３のコネクタＣ１と左サブ液晶表示器２７ＳＬのコネクタＣ２との接続にバラ線構造になっているハーネスＨを用いることにより、ＦＰＣやＦＦＣに比べて安価で引き回しの自由度が高くなる。また、ハーネスＨがバラ線構造になっているので、左サブ液晶表示器２７ＳＬがメイン液晶表示器２７Ｍに近づくように回転したり、メイン液晶表示器２７Ｍから遠ざかるように回転したりすることに起因するハーネスＨの破損が起きにくくなっている。
【００６２】
また、ハーネスＨのコネクタＨＣ１では２０個の接続端子Ｔ１０〜Ｔ２９が２段１０列を形成するように配置され、第１段１０１における接続端子Ｔ１０〜Ｔ１７にはツイストペアケーブルを形成する差動信号用ケーブルＳ１０〜Ｓ１７が接続され、第２段１０２における少なくとも接続端子Ｔ１０〜Ｔ１７と同数の接続端子Ｔ２０〜Ｔ２７には電源系統用ケーブルＶ１０〜Ｖ１７が接続されており、第１段１０１と第２段１０２とは隣り合う位置関係にある。これにより、電源系統用ケーブルＶ１０〜Ｖ１７が差動信号用ケーブルＳ１０〜Ｓ１７に近接することになり、電源系統用ケーブルＶ１０〜Ｖ１７が差動信号用ケーブルＳ１０〜Ｓ１７に対してノイズに対するシールドとしての役割を果たす。また、差動信号用ケーブルＳ１０〜Ｓ１７にのったノイズが電源系統用ケーブル（グランド）Ｖ１１，Ｖ１３，Ｖ１５，Ｖ１７などからアースに落ちる。このため、差動信号の伝送用にツイストペアケーブルを採用しながら高いノイズ抑制効果を期待することができる。
【００６３】
また、コネクタＨＣ１の段側の接続端子数と列側の接続端子数が異なり、最も外側にある段のうちの一方の第１段１０１側にはツイストペアケーブルを形成する差動信号用ケーブルＳ１０〜Ｓ１７があり、他方の第２段１０２側にはツイスト構造になっていない電源系統用ケーブルＶ１０〜Ｖ１７，Ｌ２，Ｌ４のみがある。このため、コネクタＨＣ１を接続対象のコネクタＣ１に設置する際に、例えば作業者が右手の親指と人差し指とでコネクタＨＣ１に近いケーブル部分を持った場合に触ったケーブル数からコネクタＨＣ１の段に沿う方向で持っているか列に沿う方向で持っているかが分かったり、また、ツイストペアケーブルが親指側にあるか人差し指側にあるかで親指側がコネクタＨＣ１の第１段１０１側に対応しているか第２段１０２側に対応しているかが分かったりするなど、作業者はケーブル部分を触った感触だけでどのような状態でハーネスＨを持っているかが分かり、作業効率の向上が図られる。
【００６４】
また、コネクタＨＣ１の接続端子Ｔ１０〜Ｔ１９，Ｔ２０〜Ｔ２９の並びが２段１０列であり、一方、コネクタＨＣ２の接続端子Ｔ３０〜Ｔ３９の並びが１段２０列になっている。このため、例えば作業者が右手の親指と人差し指とでコネクタＨＣ１又はコネクタＨＣ２に近いケーブル部分を持った場合にケーブルが２段になっているか１段になっているかでコネクタＨＣ１に近い部分のケーブルを持っているか、コネクタＨＣ２に近い部分のケーブルを持っているかが分かり、作業効率の向上が図られる。
【００６５】
ハーネスＨのコネクタＨＣ１を演出制御基板７３のコネクタＣ１に取り付けた状態では、差動信号用ケーブルＳ１０〜Ｓ１７とノイズ源である冷却用ファンＮとの間に電源系統用ケーブル（グランド）Ｖ１１，Ｖ１３，Ｖ１５，Ｖ１７などが存在するため、冷却用ファンＮからのノイズが差動信号用ケーブルＳ１０〜Ｓ１７にのる前に電源系統用ケーブル（グランド）Ｖ１１，Ｖ１３，Ｖ１５，Ｖ１７などからアースに逃がすことができる。この結果、ノイズ源からのノイズが差動信号用ケーブルＳ１０〜Ｓ１７を伝送する差動信号に対して及ぼす影響を抑えることができ、電源系統用ケーブル（グランド）Ｖ１１，Ｖ１３，Ｖ１５，Ｖ１７などが差動信号用ケーブルＳ１０〜Ｓ１７に対してノイズ源に対するシールドとしての役割を効率的に果たすことができる。
【００６６】
なお、本発明は上記した実施形態に限定されるものではなく、その趣旨を逸脱しない限りにおいて、上記したもの以外に種々の変更を行うことが可能である。
【００６７】
例えば、上記した実施形態では、接続端子Ｔ３０〜４９が１段２０列の配置構造で形成されるコネクタＨＣ２を有するハーネスＨを用いて説明したが、これに限定されるものではなく、コネクタＨＣ２を複数の接続端子が複数段で複数列の配置構造で形成されたコネクタに置き換えたハーネスとしてもよい。この変形例１について図５を用いて説明する。なお、図４と同様の構造及び作用を有する構成には同じ符号を付している。
【００６８】
図５を用いて説明する変形例１では、左サブ液晶表示器２７ＳＬに設けられたコネクタＣ２Ａは、ハーネスＨＡの後述するコネクタＨＣ２Ａが取り付けられるものであって、コネクタＨＣ２Ａの後述する接続端子Ｔ５０〜Ｔ６９に対応する２０個の接続端子を有し、当該２０個の接続端子はコネクタＨＣ２の接続端子Ｔ５０〜Ｔ６９と同様に２段１０列を形成するように配置されている。この実施形態では、２０個の接続端子のうちのコネクタＨＣ２Ａの接続端子Ｔ５０〜Ｔ５７に対応する８個の接続端子は信号線Ｓ２に接続されているものとし、以下では、「差動信号用接続端子」と記載する。また、この実施形態では、２０個の接続端子のうちのコネクタＨＣ２Ａの接続端子Ｔ６０，Ｔ６２，Ｔ６４，Ｔ６６，Ｔ６８，Ｔ６９に対応する６個の接続端子は電源線Ｖ２に接続されているものとし、以下では、「電源用接続端子」と記載する。また、この実施形態では、２０個の接続端子のうちのコネクタＨＣ２Ａの接続端子Ｔ５８，Ｔ５９，Ｔ６１，Ｔ６３，Ｔ６５，Ｔ６７に対応する６個の接続端子はグランド線Ｇ２に接続されているものとし、以下では、「グランド用接続端子」と記載する。
【００６９】
ハーネスＨＡは、一端側のコネクタＨＣ１と、他端側のコネクタＨＣ２Ａと、差動信号の伝送に用いられる差動信号用ケーブルＳ１０〜Ｓ１７と、電源系統の伝達に用いられる電源系統用ケーブルＶ１０〜Ｖ１８、Ｌ１〜Ｌ４とを備え、バラ線構造になっている。
【００７０】
コネクタＨＣ２Ａは、接続端子Ｔ５０〜Ｔ６９を有し、図４のコネクタＨＣ２とは異なり、接続端子Ｔ５０〜Ｔ５９、Ｔ６０〜Ｔ６９は、接続端子Ｔ５０〜Ｔ５９が第１段１１１に含まれ、接続端子Ｔ６０〜Ｔ６９が第２段１１２に含まれるように２段１０列の配置構造になっている。なお、２段１０列であるので当然のことではあるが、コネクタＨＣ２Ａにおいて第１段１１１と第２段１１２とは隣り合う位置関係にある。コネクタＨＣ２ＡがコネクタＣ２Ａに取り付けられた状態では、接続端子Ｔ５０〜Ｔ５７はコネクタＣ２Ａの差動信号用接続端子に接続し、接続端子Ｔ６０，Ｔ６２，Ｔ６４，Ｔ６６，Ｔ６８，Ｔ６９はコネクタＣ２Ａの電源用接続端子に接続し、接続端子Ｔ５８，Ｔ５９，Ｔ６１，Ｔ６３，Ｔ６５，Ｔ６７はコネクタＣ２Ａのグランド用接続端子に接続する。
【００７１】
差動信号用ケーブルＳ１０，Ｓ１１は、その一端側がコネクタＨＣ１の第１段１０１の接続端子Ｔ１０，Ｔ１１に接続され、その他端側がコネクタＨＣ２Ａの第１段１１１の接続端子Ｔ５０，Ｔ５１に接続されている。また、差動信号用ケーブルＳ１２，Ｓ１３は、その一端側がコネクタＨＣ１の第１段１０１の接続端子Ｔ１２，Ｔ１３に接続され、その他端側がコネクタＨＣ２Ａの第１段１１１の接続端子Ｔ５２，Ｔ５３に接続されている。また、差動信号用ケーブルＳ１４，Ｓ１５は、その一端側がコネクタＨＣ１の第１段１０１の接続端子Ｔ１４，Ｔ１５に接続され、その他端側がコネクタＨＣ２Ａの第１段１１１の接続端子Ｔ５４，Ｔ５５に接続されている。また、差動信号用ケーブルＳ１６，Ｓ１７は、その一端側がコネクタＨＣ１の第１段１０１の接続端子Ｔ１６，Ｔ１７に接続され、その他端側がコネクタＨＣ２Ａの第１段１１１の接続端子Ｔ５６，Ｔ５７に接続されている。
【００７２】
電源系統用ケーブルＶ１０〜Ｖ１７は、その一端側がコネクタＨＣ１の第２段１０２の接続端子Ｔ２０〜Ｔ２７に接続され、その他端側がコネクタＨＣ２Ａの第２段１１２の接続端子Ｔ６０〜Ｔ６７に接続されている。また、電源系統用ケーブルＬ１〜Ｌ４は、その一端側がコネクタＨＣ１の接続端子Ｔ１８，Ｔ２８，Ｔ１９，Ｔ２９に接続され、その他端側がコネクタＨＣ２Ａの接続端子Ｔ５８，Ｔ６８，Ｔ５９，Ｔ６９に接続されている。
【００７３】
なお、コネクタＨＣ２Ａが本発明の「第１コネクタ」に相当し、接続部Ｔ５０〜Ｔ６９が本発明の「接続部」に相当する。
【００７４】
図５を用いて説明した変形例１によれば、図４を用いて説明した実施形態の効果のうち、コネクタＨＣ１とコネクタＨＣ２との接続端子の配置構造の相違による作業効率の向上が図られる点を除いて、同様の効果が得られる。また、コネクタＨＣ２Ａの段側の接続端子数と列側の接続端子数が異なり、最も外側にある段のうちの一方の第１段１１１側にはツイストペアケーブルを形成する差動信号用ケーブルＳ１０〜Ｓ１７があり、他方の第２段１１２側にはツイスト構造になっていない電源系統用ケーブルＶ１０〜Ｖ１７，Ｌ２，Ｌ４のみがある。このため、コネクタＨＣ２Ａを接続対象のコネクタＣ２Ａに設置する際に、例えば作業者が右手の親指と人差し指とでコネクタＨＣ２Ａに近いケーブル部分を持った場合に触ったケーブル数からコネクタＨＣ２Ａの段に沿う方向で持っているか列に沿う方向で持っているかが分かったり、また、ツイストペアケーブルが親指側にあるか人差し指側にあるかで親指側がコネクタＨＣ２Ａの第１段１１１側に対応しているか第２段１１２側に対応しているかが分かったりするなど、作業者はケーブル部分を触った感触だけでどのような状態でハーネスＨＡを持っているかが分かり、作業効率の向上が図られる。また、例えばコネクタＨＣ１に近いケーブル部分を右手の親指と人差し指で持った場合に、人差し指側にツイストペアケーブルがあってその下にツイスト構造になっていないケーブルがあればコネクタＨＣ１に近いケーブル部分を持っていることが分かり、親指側にツイストペアケーブルがあってその下にツイスト構造になっていないケーブルがあればコネクタＨＣ２Ａに近いケーブル部分を持っていることが分かることなどから、作業効率の向上が図られる。
【００７５】
また、上記した実施形態では、接続端子Ｔ３０〜４９が２段１０列の配置構造で形成されるコネクタＨＣ１を有するハーネスＨを用いて説明したが、これに限定されるものではなく、コネクタＨＣ１を複数の接続端子が３以上の段で複数列の配置構造で形成されたコネクタに置き換えたハーネスとしてもよい。この変形例２について図６を用いて説明する。なお、図４と同様の構造及び作用を有する構成には同じ符号を付している。
【００７６】
図６を用いて説明する変形例２では、演出制御基板７３（図６では不図示）に設けられたコネクタＣ１Ｂは、後述するハーネスＨＢの後述するコネクタＨＣ１Ｂが取り付けられるものであって、コネクタＨＣ１Ｂの後述する接続端子Ｂ１０〜Ｂ１４、Ｂ２０〜Ｂ２４、Ｂ３０〜Ｂ３４に対応する１５個の接続端子を有し、当該１５個の接続端子はコネクタＨＣ１Ｂの接続端子Ｂ１０〜Ｂ１４、Ｂ２０〜Ｂ２４、Ｂ３０〜Ｂ３４と同様に３段５列を形成するように配置されている。この実施形態では、１５個の接続端子のうちのコネクタＨＣ１Ｂの接続端子Ｂ１０〜Ｂ１３に対応する４個の接続端子はＶＤＰ７７（図６では不図示）と信号線Ｓ１で接続されているものとし、以下では、「差動信号用接続端子」と記載する。また、この実施形態では、１５個の接続端子のうちのコネクタＨＣ１Ｂの接続端子Ｂ２０，Ｂ２２，Ｂ２４，Ｂ３１，Ｂ３３に対応する５個の接続端子は電源線Ｖ１に接続されているものとし、以下では、「電源用接続端子」と記載する。また、この実施形態では、１５個の接続端子のうちのコネクタＨＣ１Ｂの接続端子Ｂ１４，Ｂ２１，Ｂ２３，Ｂ３０，Ｂ３２，Ｂ３４に対応する６個の接続端子はグランド線Ｇ１に接続されているものとし、以下では、「グランド用接続端子」と記載する。
【００７７】
左サブ液晶表示器２７ＳＬ（図６では不図示）に設けられたコネクタＣ２Ｂは、後述するハーネスＨＢの後述するコネクタＨＣ２Ｂが取り付けられるものであって、コネクタＨＣ２Ｂの後述する接続端子Ｂ４０〜Ｂ５４に対応する１５個の接続端子を有し、当該１５個の接続端子はコネクタＨＣ２Ｂの接続端子Ｂ４０〜Ｂ５４と同様に１段１５列を形成するように配置されている。この実施形態では、１５個の接続端子のうちのコネクタＨＣ２Ｂの接続端子Ｂ４１，Ｂ４２，Ｂ４５，Ｂ４６に対応する４個の接続端子は信号線Ｓ２に接続されているものとし、以下では、「差動信号用接続端子」と記載する。また、この実施形態では、１５個の接続端子のうちのコネクタＨＣ２Ｂの接続端子Ｂ４０，Ｂ４４，Ｂ４９，Ｂ５１，Ｂ５３に対応する５個の接続端子は電源線Ｖ２に接続されているものとし、以下では、「電源用接続端子」と記載する。また、この実施形態では、１５個の接続端子のうちのコネクタＨＣ２Ｂの接続端子Ｂ４８，Ｂ４３，Ｂ４７，Ｂ５０，Ｂ５２，Ｂ５４に対応する６個の接続端子はグランド線Ｇ２に接続されているものとし、以下では、「グランド用接続端子」と記載する。
【００７８】
ハーネスＨＢは、一端側のコネクタＨＣ１Ｂと、他端側のコネクタＨＣ２Ｂと、差動信号の伝送に用いられる差動信号用ケーブルＳ３０〜Ｓ３３と、電源系統の伝達に用いられる電源系統用ケーブルＶ３０〜Ｖ３３，Ｖ５０〜Ｖ５４，Ｌ１１，Ｌ１２とを備え、バラ線構造になっている。
【００７９】
コネクタＨＣ１Ｂは、接続端子Ｂ１０〜Ｂ１４、Ｂ２０〜Ｂ２４、Ｂ３０〜Ｂ３４を有し、接続端子Ｂ１０〜Ｂ１４、Ｂ２０〜Ｂ２４、Ｂ３０〜Ｂ３４は、接続端子Ｂ１０〜Ｂ１４が第１段１２１に含まれ、接続端子Ｂ２０〜Ｂ２４が第２段１２２に含まれ、接続端子Ｂ３０〜Ｂ３４が第３段１２３に含まれるように３段５列の配置構造になっている。なお、コネクタＨＣ１Ｂにおいて、第１段１２１と第２段１２２とは隣り合う位置関係にあり、第１段１２１は３段のうちの最も外側にある一方の段であり、第３段１２３は３段のうちの最も外側にある他方の段である。コネクタＨＣ１ＢがコネクタＣ１Ｂに取り付けられた状態では、接続端子Ｂ１０〜Ｂ１３はコネクタＣ１Ｂの差動信号用接続端子に接続し、接続端子Ｂ２０，Ｂ２２，Ｂ２４，Ｂ３１，Ｂ３３はコネクタＣ１Ｂの電源用接続端子に接続し、接続端子Ｂ１４，Ｂ２１，Ｂ２３，Ｂ３０，Ｂ３２，Ｂ３４はコネクタＣ１Ｂのグランド用接続端子に接続する。
【００８０】
コネクタＨＣ２Ｂは、接続端子Ｂ４０〜Ｂ５４を有し、接続端子Ｂ４０〜Ｂ５４は、すべてが第１段１２４に含まれるように１段１５列の配置構造になっている。コネクタＨＣ２ＢがコネクタＣ２Ｂに取り付けられた状態では、接続端子Ｂ４１，Ｂ４２，Ｂ４５，Ｂ４６はコネクタＣ２Ｂの差動信号用接続端子に接続し、接続端子Ｂ４０，Ｂ４４，Ｂ４９，Ｂ５１，Ｂ５３はコネクタＣ２Ｂの電源用接続端子に接続し、接続端子Ｂ４８，Ｂ４３，Ｂ４７，Ｂ５０，Ｂ５２，Ｂ５４はコネクタＣ２Ｂのグランド用接続端子に接続する。
【００８１】
差動信号用ケーブルＳ３０、Ｓ３１は、差動信号を伝送するための対をなしており、ツイストペアケーブルを形成している。そして、差動信号用ケーブルＳ３０，Ｓ３１は、その一端側がコネクタＨＣ１Ｂの第１段１２１の接続端子Ｂ１０，Ｂ１１に接続され、その他端側がコネクタＨＣ２Ｂの第１段１２４の接続端子Ｂ４１，Ｂ４２に接続されている。
【００８２】
差動信号用ケーブルＳ３２、Ｓ３３は、差動信号を伝送するための対をなしており、ツイストペアケーブルを形成している。そして、差動信号用ケーブルＳ３２，Ｓ３３は、その一端側がコネクタＨＣ１Ｂの第１段１２１の接続端子Ｂ１２，Ｂ１３に接続され、その他端側がコネクタＨＣ２Ｂの第１段１２４の接続端子Ｂ４５，Ｂ４６に接続されている。
【００８３】
電源系統用ケーブルＶ３０〜Ｖ３３は、ツイスト構造となっておらず、その一端側がコネクタＨＣ１Ｂの第２段１２２の接続端子Ｂ２０〜Ｂ２３に接続され、その他端側がコネクタＨＣ２Ｂの第１段１２４の接続端子Ｂ４１，Ｂ４３，Ｂ４４，Ｂ４７に接続されている。また、電源系統用ケーブルＶ５０〜Ｖ５４は、ツイスト構造となっておらず、その一端側がコネクタＨＣ１Ｂの第３段１２３の接続端子Ｂ３０〜Ｂ３４に接続され、その他端側がコネクタＨＣ２Ｂの接続端子Ｂ５０〜Ｂ５４に接続されている。また、電源系統用ケーブルＬ１１，Ｌ１２は、ツイスト構造となっておらず、その一端側がコネクタＨＣ１Ｂの接続端子Ｂ１４，Ｂ２４に接続され、その他端側がコネクタＨＣ２Ｂの接続端子Ｂ４８，Ｂ４９に接続されている。
【００８４】
なお、以下では、電源系統用ケーブルＶ３０，Ｖ３２，Ｌ１２，Ｖ５１，Ｖ５３を、適宜、電源系統用ケーブル（電源）Ｖ３０，Ｖ３２，Ｌ１２，Ｖ５１，Ｖ５３と記載する。また、以下では、電源系統用ケーブルＬ１１，Ｖ３１，Ｖ３３，Ｖ５０，Ｖ５２，Ｖ５４を、適宜、電源系統用ケーブル（グランド）Ｌ１１，Ｖ３１，Ｖ３３，Ｖ５０，Ｖ５２，Ｖ５４と記載する。
【００８５】
このように、ハーネスＨＢでは、第１段１２１の接続端子Ｂ１０〜Ｂ１３には差動信号用ケーブルＳ３０〜Ｓ３３の一端側が接続され、第１段１２１と隣り合う位置関係にある第２段１２２の少なくとも接続端子Ｂ１０〜Ｂ１３と同列にあるＢ２０〜Ｂ２３には電源系統用ケーブルＶ３０〜Ｖ３３が接続されている。
【００８６】
また、ハーネスＨＢでは、３段のうちの最も外側にある一方の段である第１段１２１の接続端子Ｂ１０〜Ｂ１３にはツイストペアケーブルを形成している差動信号用ケーブルＳ３０〜Ｓ３３が接続され、最も外側にある他方の段である第３段１２３の接続端子Ｂ２０〜Ｂ２４にはツイスト構造の差動信号用ケーブルが接続されることがなく、ツイスト構造になっていない電源系統用ケーブルＶ５０〜Ｖ５４が接続されている。
【００８７】
なお、コネクタＨＣ１Ｂが本発明の「第２コネクタ」に相当し、コネクタＨＣ２Ｂが本発明の「第１コネクタ」に相当する。また、第１段１２１が本発明の「一の段」に相当し、第２段１２２が本発明の「他の段」に相当し、第３段１２３が本発明の「複数の段のうちの最も外側にある段のうちの他方の段」に相当する。また、接続部Ｂ１０〜Ｂ１４，Ｂ２０〜Ｂ２４、Ｂ３０〜Ｂ３４が本発明の「接続部」に相当し、接続端子Ｂ１０〜Ｂ１３が本発明の「第１接続部」に相当し、接続端子Ｂ２０〜Ｂ２３が本発明の「第２接続部」に相当する。また、差動信号用ケーブルＳ３０〜Ｓ３３が本発明の「差動信号用ケーブル」に相当し、電源系統用ケーブルＶ３０〜Ｖ３３が本発明の「電源系統用ケーブル」に相当する。また、電源系統用ケーブルＶ５０〜Ｖ５４が、本発明の「ツイストケーブルを形成しないケーブル」に相当する。
【００８８】
ハーネスＨＢは、そのコネクタＨＣ１Ｂがノイズ源となる冷却用ファンＮ（図６では不図示）の存在する側に第２段１２２が向いた状態になるようにコネクタＣ２Ｂに取り付けられ、コネクタＨＣ２ＢがコネクタＣ２Ｂに取り付けられる。ハーネスＨＢがこのように取り付けられた状態では、ＶＤＰ７７（図６では不図示）から出力される差動信号は、信号線Ｓ１、コネクタＣ１Ｂの差動信号用接続端子、コネクタＨＣ１Ｂの接続端子Ｂ１０〜Ｂ１３、差動信号用ケーブルＳ３０〜Ｓ３３、コネクタＨＣ２Ｂの接続端子Ｂ４１，Ｂ４２，Ｂ４５，Ｂ４６、コネクタＣ２Ｂの差動信号用接続端子を介して、信号線Ｓ２に到達する。また、電源線Ｖ１と電源線Ｖ２とは、コネクタＣ１Ｂの電源用接続端子、コネクタＨＣ１Ｂの接続端子Ｂ２０，Ｂ２２，Ｂ２４，Ｂ３１，Ｂ３３、電源系統用ケーブル（電源）Ｖ３０，Ｖ３２，Ｌ１２，Ｖ５１，Ｖ５３、コネクタＨＣ２Ｂの接続端子Ｂ４０，Ｂ４４，Ｂ４９，Ｂ５１，Ｂ５３、コネクタＣ２Ｂの電源用接続端子を介して、接続される。また、グランド線Ｇ１とグランド線Ｇ２とは、コネクタＣ１Ｂのグランド用接続端子、コネクタＨＣ１Ｂの接続端子Ｂ１４，Ｂ２１，Ｂ２３，Ｂ３０，Ｂ３２，Ｂ３４、電源系統用ケーブル（グランド）Ｌ１１，Ｖ３１，Ｖ３３，Ｖ５０，Ｖ５２，Ｖ５４、コネクタＨＣ２Ｂの接続端子Ｂ４８，Ｂ４３，Ｂ４７，Ｂ５０，Ｂ５２，Ｂ５４、コネクタＣ２Ｂのグランド用接続端子を介して、接続される。
【００８９】
図６を用いて説明した変形例２によれば、図４を用いて説明した実施形態の効果と同様の効果が得られる。
【００９０】
また、上記した実施形態、変形例１、変形例２で説明した複数の電源系統のうちの電源用とグランド用は一例であって、変更することが可能である。
【００９１】
また、上記した実施形態では、コネクタＨＣ１の接続端子Ｔ１８，Ｔ１９，Ｔ２０〜Ｔ２９を電源系統用（電源、グランド）としたが、これに限定されるものではなく、例えば、接続端子Ｔ２０〜Ｔ２７を電源系統用（電源、グランド）とし、接続端子Ｔ１８，Ｔ１９，Ｔ２８，Ｔ２９の全部を信号用としてもよく、また、接続端子Ｔ２０〜Ｔ２７を電源系統用（電源、グランド）とし、接続端子Ｔ１８，Ｔ１９，Ｔ２８，Ｔ２９の一部を電源系統用（電源、グランド）とし、残りを信号用としてもよい。また、上記した変形例１では、コネクタＨＣ１の接続端子Ｔ１８，Ｔ１９，Ｔ２０〜Ｔ２９を電源系統用（電源、グランド）とし、コネクタＨＣ２Ａの接続端子Ｔ５８，Ｔ５９，Ｔ６０〜Ｔ６９を電源系統用（電源、グランド）としたが、これに限定されるものではなく、例えば、接続端子Ｔ２０〜Ｔ２７を電源系統用（電源、グランド）とし、接続端子Ｔ１８，Ｔ１９，Ｔ２８，Ｔ２９の全部を信号用とするとともに、接続端子Ｔ６０〜Ｔ６７を電源系統用（電源、グランド）とし、接続端子Ｔ６８，Ｔ６９，Ｔ６８，Ｔ６９の全部を信号用としてもよい。また、接続端子Ｔ２０〜Ｔ２７を電源系統用（電源、グランド）とし、接続端子Ｔ１８，Ｔ１９，Ｔ２８，Ｔ２９の一部を電源系統用（電源、グランド）とし、残りを信号用とするとともに、接続端子Ｔ６０〜Ｔ６７を電源系統用（電源、グランド）とし、接続端子Ｔ６８，Ｔ６９，Ｔ６８，Ｔ６９の一部を電源系統用（電源、グランド）とし、残りを信号用としてもよい。また、上記した変形例２では、コネクタＨＣ１Ｂの接続端子Ｂ１４，Ｂ２０〜Ｂ２４，Ｂ３０〜Ｂ３４を電源系統用（電源、グランド）としたが、これに限定されるものではなく、例えば、接続端子Ｂ２０〜Ｂ２３を電源系統用（電源、グランド）とし、接続端子Ｂ１４，Ｂ２４，Ｂ３０〜Ｂ３４の全部を信号用としてもよく、また、接続端子Ｂ２０〜Ｂ２３を電源系統用（電源、グランド）とし、接続端子Ｂ１４，Ｂ２４，Ｂ３０〜Ｂ３４の一部を電源系統用（電源、グランド）とし、残りを信号用としてもよい。
【００９２】
また、上記した実施形態、変形例１では、コネクタＨＣ１の第１段１０１の一部の接続端子Ｔ１０〜Ｔ１７にツイストペアケーブルを形成する差動信号用ケーブルＳ１０〜Ｓ１７が接続され、残りの接続端子Ｔ１８〜Ｔ１９にはツイスト構造になっていない電源系統用ケーブルＬ１，Ｌ３が接続されるとして説明したが、これに限定されるものではなく、例えば、第１段１０１の全ての接続端子Ｔ１０〜Ｔ１９にツイストペアケーブルを形成する差動信号用ケーブルが接続されるようにしてもよい。この場合には、第２段１０２の全ての接続端子Ｔ２０〜Ｔ２９に電源系統用ケーブルが接続されるようにする。なお、変形例１のコネクタＨＣ２Ａの第１段１１１、第２段１１２についても同様である。また、変形例２では、コネクタＨＣ１Ｂの第１段１２１の一部の接続端子Ｂ１０〜Ｂ２３にツイストペアケーブルを形成する差動信号用ケーブルＳ３０〜Ｓ３４が接続され、残りの接続端子Ｂ２４にはツイスト構造になっていない電源系統用ケーブルＬ１１が接続されるとして説明したが、これに限定されるものではなく、例えば、第１段１２１に含まれる接続端子の数を偶数に変形し、第１段１２１に含まれる全ての接続端子にツイストペアケーブルを形成する差動信号用ケーブルが接続されるようにしてもよい。この場合には、第２段１２２に含まれる接続端子の数を偶数に変形し、第２段１２２に含まれる全ての接続端子に電源系統用ケーブルが接続されるようにする。
【００９３】
上記した実施形態や変形例１，２などでは、差動信号を伝送するためのツイストケーブルとして、２本の差動信号用ケーブルをツイストしたツイストペアケーブル（位相を１８０度ずらした信号を送信する）を用いて説明したが、これに限定されるものではなく、例えば、３本の差動信号用ケーブルをツイストしたツイストケーブル（位相を１２０度ずつずらした信号を送信する）など３本以上の差動信号用ケーブルをツイストしたツイストケーブルであってもよい。
【００９４】
また、上記した実施形態、変形例１、変形例２では、演出制御基板７３のコネクタＣ１，Ｃ１Ｂと左サブ液晶表示器２７ＳＬのＣ２，Ｃ２Ａ，Ｃ２ＢとをハーネスＨ，ＨＡ，ＨＢで接続する場合を例に挙げて説明したが、演出制御基板７３と右サブ液晶表示器２７ＳＲとをつなぐ場合、演出制御基板７３とメイン液晶表示器２７Ｍとをつなぐ場合にも、実施形態、変形例１、変形例２で説明したコネクタＣ１，Ｃ１ＢとＣ２，Ｃ２Ａ，Ｃ２ＢとハーネスＨ，ＨＡ，ＨＢとの構造を適用することができる。
【００９５】
また、上記した実施形態では、ハーネスＨに含まれる差動信号用ケーブルＳ１０〜Ｓ１７，Ｖ１０〜Ｖ１７，Ｌ１〜Ｌ４の全ての他端側は１つのコネクタＨＣ２に接続されるようになっているが、これに限定されるものではなく、例えば、ハーネスＨに含まれる差動信号用ケーブルＳ１０〜Ｓ１３，Ｖ１０〜Ｖ１３，Ｌ１，Ｌ３の他端側が一のコネクタに接続され、差動信号用ケーブルＳ１４〜Ｓ１７，Ｖ１４〜Ｖ１７，Ｌ２，Ｌ４の他端側が他のコネクタに接続されるようにするなど、ハーネスＨの他端側が複数のコネクタに分かれているようなものであってもよい。
【００９６】
また、上記した実施形態、変形例１、変形例２において、メイン液晶表示器２７Ｍ、左・右サブ液晶表示器２７ＳＬ，２７ＳＲを、有機ＥＬを用いた表示器に置き換えてもよい。
【００９７】
また、上記した実施形態では、スロットマシンを対象として説明したが、これに限定されるものではなく、上記したハーネス等の構造はパチンコ機などの他の遊技機にも適用することができる。
【００９８】
また、上記実施形態や上記変形例等の内容を適宜組み合わせることができる。
【００９９】
本発明は、配線部品を有する遊技機に適用することができる。
【符号の説明】
【０１００】
１…スロットマシン
ＨＣ１，ＨＣ１Ｂ…コネクタ
１０１，１２１…第１段
Ｔ１０〜Ｔ１９，Ｂ１０〜Ｂ１４…接続端子
１０２，１２２…第２段
Ｔ２０〜Ｔ２９，Ｂ２０〜Ｂ２４…接続端子
１２３…第３段
Ｂ３０〜Ｂ３４…接続端子
ＨＣ２，ＨＣ２Ａ，ＨＣ２Ｂ…コネクタ
１０３，１１１，１２４…第１段
Ｔ３０〜Ｔ４９，Ｔ５０〜Ｔ５９，Ｂ４０〜Ｂ５４…接続端子
１１２…第２段
Ｔ６０〜Ｔ６９…接続端子
Ｓ１０〜Ｓ１７，Ｓ３０〜Ｓ３３…差動信号用ケーブル
Ｖ１０〜Ｖ１７，Ｌ１〜Ｌ４…電源系統用ケーブル
Ｖ３０〜Ｖ３３，Ｖ５０〜Ｖ５４，Ｌ１１，Ｌ１２…電源系統用ケーブル
Ｎ…冷却用ファン
【図１】
2020099523.tif 000003
【図２】
2020099523.tif 000004
【図３】
2020099523.tif 000005
【図４】
2020099523.tif 000006
【図５】
2020099523.tif 000007
【図６】
2020099523.tif 000008
【手続補正書】
【提出日】令和1年10月31日(2019.10.31)
【手続補正１】
【補正対象書類名】明細書
【補正対象項目名】０００７
【補正方法】変更
【補正の内容】
【０００７】
上記目的を達成するために、本発明にかかる遊技機は、遊技機であって、複数の接続部を有する第１コネクタと、前記遊技機に設置される演出制御基板に設けられた演出制御基板コネクタに取り付けられるものであって、複数の接続部を有し、当該複数の接続部が複数の段および複数の列を形成するように配置された第２コネクタと、差動信号の伝送に用いられる複数の差動信号用ケーブルと、電源系統の伝達に用いられる複数の電源系統用ケーブルとを備え、前記複数の差動信号用ケーブルは、差動信号を伝送するための差動信号用ケーブルの対を複数含み、前記差動信号用ケーブルの対はツイストケーブルを形成しており、前記複数の差動信号用ケーブル及び前記複数の電源系統用ケーブルそれぞれの一端側が前記第１コネクタの前記複数の接続部のいずれかに接続され、前記第２コネクタの前記複数の段のうちの一の段における複数の接続部のうちの、前記複数の差動信号用ケーブルと同数の第１接続部それぞれには、前記複数の差動信号用ケーブルのいずれかの他端側が接続されており、前記第２コネクタの前記複数の段のうちの他の段における複数の接続部のうちの、少なくとも前記第１接続部と同数の第２接続部それぞれには、前記複数の電源系統用ケーブルのいずれかの他端側が接続されており、前記第２コネクタにおける前記一の段と前記他の段とは隣り合う位置関係にあり、前記第２コネクタにおける段の数と列の数が異なっており、前記一の段は、前記複数の段のうちの最も外側にある段のうちの一方であり、前記複数の段のうちの最も外側にある段のうちの他方の段における複数の接続部のいずれにも差動信号用ケーブルが接続されることがなく、当該他方の段における当該複数の接続部の少なくとも一部にはツイストケーブルを形成しないケーブルが接続され、前記第２コネクタが前記演出制御基板コネクタに取り付けられた場合、当該第２コネクタは、ノイズ源となる、前記演出制御基板に配置されている当該演出制御基板を冷却するための冷却用ファンの存在する側に前記他の段が向いた状態になることを特徴としている。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
また、第２コネクタの段側の接続部の数と列側の接続部の数が異なり、最も外側にある段のうちの一方（一の段）側にはツイストケーブルを形成する差動信号用ケーブルがあり、他方側にはツイストケーブルを形成しないケーブルのみがある。このため、第２コネクタを接続対象のコネクタに設置する際に、作業者はケーブル部分を触った感触だけでどのような状態で持っているかが分かり、作業効率の向上が図られる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、複数の差動信号用ケーブルとノイズ源との間に複数の電源系統用ケーブルが存在するため、ノイズ源からのノイズが差動信号用ケーブルにのる前に電源系統ケーブルからアースに逃がすことができる。この結果、ノイズ源からのノイズが差動信号用ケーブルを伝送する差動信号に対して及ぼす影響を抑えることができ、複数の電源系統用ケーブルが複数の差動信号用ケーブルに対してノイズ源に対するシールドとしての役割を効率的に果たすことができる。
【手続補正６】
【補正対象書類名】特許請求の範囲
【補正対象項目名】全文
【補正方法】変更
【補正の内容】
【特許請求の範囲】
【請求項１】
遊技機であって、
複数の接続部を有する第１コネクタと、
前記遊技機に設置される演出制御基板に設けられた演出制御基板コネクタに取り付けられるものであって、複数の接続部を有し、当該複数の接続部が複数の段および複数の列を形成するように配置された第２コネクタと、
差動信号の伝送に用いられる複数の差動信号用ケーブルと、
電源系統の伝達に用いられる複数の電源系統用ケーブルと
を備え、
前記複数の差動信号用ケーブルは、差動信号を伝送するための差動信号用ケーブルの対を複数含み、
前記差動信号用ケーブルの対はツイストケーブルを形成しており、
前記複数の差動信号用ケーブル及び前記複数の電源系統用ケーブルそれぞれの一端側が前記第１コネクタの前記複数の接続部のいずれかに接続され、
前記第２コネクタの前記複数の段のうちの一の段における複数の接続部のうちの、前記複数の差動信号用ケーブルと同数の第１接続部それぞれには、前記複数の差動信号用ケーブルのいずれかの他端側が接続されており、
前記第２コネクタの前記複数の段のうちの他の段における複数の接続部のうちの、少なくとも前記第１接続部と同数の第２接続部それぞれには、前記複数の電源系統用ケーブルのいずれかの他端側が接続されており、
前記第２コネクタにおける前記一の段と前記他の段とは隣り合う位置関係にあり、
前記第２コネクタにおける段の数と列の数が異なっており、
前記一の段は、前記複数の段のうちの最も外側にある段のうちの一方であり、
前記複数の段のうちの最も外側にある段のうちの他方の段における複数の接続部のいずれにも差動信号用ケーブルが接続されることがなく、当該他方の段における当該複数の接続部の少なくとも一部にはツイストケーブルを形成しないケーブルが接続され、
前記第２コネクタが前記演出制御基板コネクタに取り付けられた場合、当該第２コネクタは、ノイズ源となる、前記演出制御基板に配置されている当該演出制御基板を冷却するための冷却用ファンの存在する側に前記他の段が向いた状態になる
ことを特徴とする遊技機。